(57)【特許請求の範囲】
【請求項１】
デジタル放射線検出器を用いて検査対象患者の撮影を行う放射線撮影装置であって、
特定の操作入力が行われる際に検査対象患者の患者情報が指定されている場合には当該検査対象患者の患者情報を第一の患者情報として特定し、前記特定の操作入力が行われる際に検査対象患者の患者情報が指定されていない場合には仮の患者情報を生成する処理手段と、
前記第一の患者情報と、外部装置から取得される第二の患者情報との少なくともいずれかを表示手段に表示させる表示制御手段と、
前記仮の患者情報が生成された場合に、前記表示手段に表示される第二の患者情報を選択する選択手段と、
前記選択手段により選択される第二の患者情報に、前記仮の患者情報に基づいて撮影される放射線画像を関連付ける関連付け手段と
を有することを特徴とする放射線撮影装置。
【請求項２】
前記関連付け手段により関連付けられた、前記選択手段により選択される第二の患者情報と前記仮の患者情報に基づいて撮影される放射線画像とを、前記外部装置とは異なる他の外部装置に送信する送信手段を更に有することを特徴とする請求項１に記載の放射線撮影装置。
【請求項３】
前記仮の患者情報を用いて前記検査対象患者の撮影による検査を行った場合、当該検査の終了時に、前記外部装置から第二の患者情報を再取得する再取得手段を更に有し、
前記表示制御手段は、前記再取得手段で取得した第二の患者情報を前記表示手段に表示させることを特徴とする請求項１又は２に記載の放射線撮影装置。
【請求項４】
前記検査対象患者の検査を行う前に、前記外部装置から第二の患者情報を取得する取得手段と、
前記仮の患者情報を用いて前記検査対象患者の撮影による検査を行った場合、当該検査の終了時に、前記外部装置から第二の患者情報を再取得する再取得手段と
を更に有し、
前記取得手段で取得した第二の患者情報と前記再取得手段で再取得した第二の患者情報とに差異がある場合に、前記再取得手段で再取得した第二の患者情報と前記仮の患者情報とを関連付けて前記表示手段に表示する処理を行う関連付け表示処理手段と
を更に有することを特徴とする請求項１又は２に記載の放射線撮影装置。
【請求項５】
前記取得手段で取得した第二の患者情報を記憶する患者情報記憶手段と、
前記患者情報記憶手段に記憶した第二の患者情報を前記表示手段に表示する処理を行う患者情報表示処理手段と、
前記検査対象患者の患者情報が前記仮の患者情報であるか否かを判定する判定手段と、
前記再取得手段で再取得した第二の患者情報を記憶する再取得患者情報記憶手段と、
前記患者情報記憶手段に記憶した第二の患者情報と前記再取得患者情報記憶手段に記憶した第二の患者情報とに差異があるか否かの比較を行う患者情報比較手段と
を更に有し、
前記再取得手段は、前記判定手段により前記仮の患者情報であると判定された場合に、前記外部装置に記憶されている第二の患者情報の前記再取得を行い、
前記関連付け表示処理手段は、前記患者情報比較手段により前記差異があると判定された場合に、前記再取得患者情報記憶手段に記憶した第二の患者情報と前記仮の患者情報とを関連付けて前記表示手段に表示する処理を行うことを特徴とする請求項４に記載の放射線撮影装置。
【請求項６】
前記検査対象患者の患者情報が前記仮の患者情報であるか否かを判定する判定手段と、
前記判定手段により前記仮の患者情報であると判定された場合に、前記仮の患者情報に関する放射線画像における前記外部装置とは異なる他の外部装置への送信処理を保留する処理を行う保留手段と
を更に有することを特徴とする請求項１乃至５のいずれか１項に記載の放射線撮影装置。
【請求項７】
前記関連付け表示処理手段は、前記再取得手段で再取得した第二の患者情報のうち、前記取得手段で取得した第二の患者情報については非表示にして、前記仮の患者情報と関連付けた表示を行うことを特徴とする請求項４又は５に記載の放射線撮影装置。
【請求項８】
前記患者情報比較手段は、前記取得手段で取得した第二の患者情報の件数と前記再取得手段で再取得した第二の患者情報の件数とに差異があるか否かを更に比較するものであり、
前記関連付け表示処理手段は、前記患者情報比較手段による第二の患者情報の件数の比較結果を前記表示手段に更に表示する処理を行うことを特徴とする請求項５に記載の放射線撮影装置。
【請求項９】
デジタル放射線検出器を用いて検査対象患者の撮影を行う放射線撮影装置であって、
特定の操作入力が行われる際に検査対象患者の患者情報が指定されている場合には当該検査対象患者の患者情報を第一の患者情報として特定し、前記特定の操作入力が行われる際に検査対象患者の患者情報が指定されていない場合には仮の患者情報を生成する処理手段と、
前記第一の患者情報と、外部装置から取得される第二の患者情報との少なくともいずれかを表示手段に表示させる表示制御手段と、
前記仮の患者情報が生成された場合に、前記表示手段に表示される第二の患者情報を選択する選択手段と、
前記選択手段により選択される第二の患者情報に、前記仮の患者情報に基づいて撮影される放射線画像を関連付けて、前記外部装置とは異なる他の外部装置に送信する送信手段と
を有することを特徴とする放射線撮影装置。
【請求項１０】
デジタル放射線検出器を用いて検査対象患者の撮影を行う放射線撮影の制御方法であって、
特定の操作入力が行われる際に検査対象患者の患者情報が指定されている場合には当該検査対象患者の患者情報を第一の患者情報として特定し、前記特定の操作入力が行われる際に検査対象患者の患者情報が指定されていない場合には仮の患者情報を生成する処理ステップと、
前記第一の患者情報と、外部装置から取得される第二の患者情報との少なくともいずれかを表示手段に表示させる表示制御ステップと、
前記仮の患者情報が生成された場合に、前記表示手段に表示される第二の患者情報を選択する選択ステップと、
前記選択ステップにより選択される第二の患者情報に、前記仮の患者情報に基づいて撮影される放射線画像を関連付ける関連付けステップと
を有することを特徴とする放射線撮影の制御方法。
【請求項１１】
デジタル放射線検出器を用いて検査対象患者の撮影を行う放射線撮影の制御方法をコンピュータに実行させるためのプログラムであって、
特定の操作入力が行われる際に検査対象患者の患者情報が指定されている場合には当該検査対象患者の患者情報を第一の患者情報として特定し、前記特定の操作入力が行われる際に検査対象患者の患者情報が指定されていない場合には仮の患者情報を生成する処理ステップと、
前記第一の患者情報と、外部装置から取得される第二の患者情報との少なくともいずれかを表示手段に表示させる表示制御ステップと、
前記仮の患者情報が生成された場合に、前記表示手段に表示される第二の患者情報を選択する選択ステップと、
前記選択ステップにより選択される第二の患者情報に、前記仮の患者情報に基づいて撮影される放射線画像を関連付ける関連付けステップと
をコンピュータに実行させるためのプログラム。
【発明の詳細な説明】
【技術分野】
【０００１】
本発明は、デジタル放射線検出器を用いて検査対象患者の撮影を行う放射線撮影装置、放射線撮影の制御方法、及び、当該制御方法をコンピュータに実行させるためのプログラムに関するものである。
【背景技術】
【０００２】
Ｘ線に代表される放射線の物質透過能力を用いて、その透過強度分布を画像化する技術は、近代の医療技術における発展の基本となるものである。放射線の発見以来、その強度分布の画像化は、例えば、放射線の強度分布を蛍光体により可視光に変換した後、銀塩フィルムで潜像を作り現像するという方法が取られてきた。
【０００３】
近年、放射線画像をデジタル化する際に、輝尽性蛍光体を用いて、放射線照射による輝尽性蛍光体上の蓄積エネルギー分布としての潜像をレーザ光で励起して読み出し、デジタル画像化する、いわゆるイメージングプレートを用いる方法が一般化してきた。また、半導体技術の進歩により、人体の大きさをカバーできる大判の固体検査素子、いわゆるフラットパネルディテクタも開発され、潜像をつくることなく直接放射線画像をデジタル化し、効率のよい診断が行えるようになってきた。
【０００４】
一方、病院内の情報ネットワークの整備に伴って、ネットワーク上で情報を扱うシステムとして放射線情報システム（ＲＩＳ）、画像保管通信システム（ＰＡＣＳ）等と呼ばれる情報システムが発達してきている。
【０００５】
放射線情報システム（ＲＩＳ）は、例えば、患者情報（例えば、患者ＩＤ、患者名（患者氏名）、性別、生年月日等）や会計情報等の病院内の管理情報の全般を扱う。さらに、放射線情報システム（ＲＩＳ）は、例えば、診療科から画像の撮影依頼を受け、放射線科に、どの患者のどの部位をどのような撮影機材で撮影するのかを明確にして撮影依頼を出すなどの画像撮影に関する情報の管理も行う。また、画像保管通信システム（ＰＡＣＳ）は、撮影された放射線画像データを保管し、過去画像の視認依頼があれば、該当する過去の放射線画像データを検索して配信するなどの放射線画像データの保管管理を行う。
【０００６】
また、病院内の放射線撮影装置には、撮影室に固定された据置型と、院内を移動可能な移動型がある。据置型の放射線撮影装置は、上述した病院内の各情報システムに対してオンラインで接続されており、例えば、ＲＩＳから撮影依頼情報を受信したり、撮影開始／終了の状態をＲＩＳに送信したり、撮影した画像データをＰＡＣＳに送信したりすることができる。また、急病患者や身元不明患者の撮影を行う場合に迅速に検査ができるようにするために、ＲＩＳから患者情報を受信する前に、検査を行う場合がある。このため、放射線撮影装置は、検査中及び検査終了後に、当該放射線撮影装置内で患者情報の作成や（例えば下記の特許文献１参照）、ＲＩＳから受信した患者情報と関連付ける操作を行うことができるように構成されている。
【先行技術文献】
【特許文献】
【０００７】
【特許文献１】特開２００１−１２０５４２号公報
【発明の概要】
【発明が解決しようとする課題】
【０００８】
そして、従来では、検査中及び検査終了後までにＲＩＳから放射線撮影装置に患者情報が追加されていなくても、操作者は、放射線撮影装置が検査中及び検査終了後にＲＩＳから患者情報を受信しているかの確認をする時間が必要であった。このため、従来では、次の検査を開始するまでの時間が長引く結果、１日当たりに検査できる患者数が制限されるという課題があった。
【０００９】
本発明は、このような問題点に鑑みてなされたものであり、次の検査を開始するまでの時間を短縮できるようにして、１日当たりに検査できる患者数を増加させることができるようにすることを目的とする。
【課題を解決するための手段】
【００１０】
本発明の放射線撮影装置は、デジタル放射線検出器を用いて検査対象患者の撮影を行う放射線撮影装置であって、特定の操作入力が行われる際に検査対象患者の患者情報が指定されている場合には当該検査対象患者の患者情報を第一の患者情報として特定し、前記特定の操作入力が行われる際に検査対象患者の患者情報が指定されていない場合には仮の患者情報を生成する処理手段と、前記第一の患者情報と、外部装置から取得される第二の患者情報との少なくともいずれかを表示手段に表示させる表示制御手段と、前記仮の患者情報が生成された場合に、前記表示手段に表示される第二の患者情報を選択する選択手段と、前記選択手段により選択される第二の患者情報に、前記仮の患者情報に基づいて撮影される放射線画像を関連付ける関連付け手段とを有する。
本発明の放射線撮影装置における他の態様は、デジタル放射線検出器を用いて検査対象患者の撮影を行う放射線撮影装置であって、特定の操作入力が行われる際に検査対象患者の患者情報が指定されている場合には当該検査対象患者の患者情報を第一の患者情報として特定し、前記特定の操作入力が行われる際に検査対象患者の患者情報が指定されていない場合には仮の患者情報を生成する処理手段と、前記第一の患者情報と、外部装置から取得される第二の患者情報との少なくともいずれかを表示手段に表示させる表示制御手段と、前記仮の患者情報が生成された場合に、前記表示手段に表示される第二の患者情報を選択する選択手段と、前記選択手段により選択される第二の患者情報に、前記仮の患者情報に基づいて撮影される放射線画像を関連付けて、前記外部装置とは異なる他の外部装置に送信する送信手段とを有する。
また、本発明は、放射線撮影の制御方法、及び、当該制御方法をコンピュータに実行させるためのプログラムを含む。
【発明の効果】
【００１１】
本発明によれば、次の検査を開始するまでの時間を短縮することができる。これにより、１日当たりに検査できる患者数を増加させることができる。
【図面の簡単な説明】
【００１２】
【図１】本発明の第１の実施形態に係るＸ線撮影装置（放射線撮影装置）を含むＸ線撮影システム（放射線撮影システム）の概略構成の一例を示す模式図である。
【図２】本発明の第１の実施形態に係るＸ線撮影装置（放射線撮影装置）の概略構成の一例を示す模式図である。
【図３】本発明の第１の実施形態を示し、図２に示すＸ線撮影装置本体の内部構成の一例を示す模式図である。
【図４】本発明の第１の実施形態を示し、図３のディスプレイに表示される患者情報入力画面の一例を示す模式図である。
【図５】本発明の第１の実施形態を示し、図３のディスプレイに表示される検査画面の一例を示す模式図である。
【図６】本発明の第１の実施形態を示し、図３のディスプレイに表示される検査患者情報入力画面の一例を示す模式図である。
【図７】本発明の第１の実施形態を示し、図３に示すＸ線撮影装置本体による制御方法の処理手順の一例を示すフローチャートである。
【図８】本発明の第２の実施形態を示し、図２に示すＸ線撮影装置本体の内部構成の一例を示す模式図である。
【図９】本発明の第２の実施形態を示し、図８のディスプレイに表示される患者情報入力画面の一例を示す模式図である。
【図１０】本発明の第２の実施形態を示し、図８のディスプレイに表示される保留患者選択画面の一例を示す模式図である。
【図１１】本発明の第２の実施形態を示し、図８のディスプレイに表示される検査終了処理選択画面の一例を示す模式図である。
【図１２】本発明の第２の実施形態を示し、図８に示すＸ線撮影装置本体による制御方法の処理手順の一例を示すフローチャートである。
【図１３】本発明の第３の実施形態を示し、図３のディスプレイに表示される検査患者情報入力画面の一例を示す模式図である。
【図１４】本発明の第３の実施形態を示し、図３のディスプレイに表示される検査患者情報入力画面の一例を示す模式図である。
【図１５】本発明の第３の実施形態を示し、図３に示すＸ線撮影装置本体による制御方法の処理手順の一例を示すフローチャートである。
【発明を実施するための形態】
【００１３】
以下に、図面を参照しながら、本発明を実施するための形態（実施形態）について説明する。なお、以下の本発明の各実施形態の説明では、本発明に係る放射線撮影装置として、放射線の一種であるＸ線を用いて被写体のＸ線画像の撮影を行うＸ線撮影装置を適用した例について説明を行う。また、本発明においては、このＸ線撮影装置に限らず、例えば、他の放射線（例えば、α線、β線、γ線など）を用いて被写体の放射線画像の撮影を行う放射線撮影装置を適用することも可能である。
【００１４】
（第１の実施形態）
まず、本発明の第１の実施形態について説明する。
【００１５】
図１は、本発明の第１の実施形態に係るＸ線撮影装置（放射線撮影装置）を含むＸ線撮影システム（放射線撮影システム）の概略構成の一例を示す模式図である。具体的に、図１に示すＸ線撮影システム１０は、例えば、病院内のネットワークシステムの一部を示している。
【００１６】
図１に示すＸ線撮影システム１０は、Ｘ線撮影装置１００、放射線情報システム（以下、「ＲＩＳ」と称する）２００、画像保管通信システム（以下、「ＰＡＣＳ」と称する）３００、及び、ネットワーク４００を有して構成されている。
【００１７】
Ｘ線撮影装置１００は、Ｘ線を用いて被写体である患者の撮影を行って当該患者の検査を行う装置である。このＸ線撮影装置１００は、ネットワーク４００を介して、ＲＩＳ２００及びＰＡＣＳ３００と通信可能に構成されている。
【００１８】
ＲＩＳ２００は、例えば、患者情報（例えば、患者ＩＤ、患者名（患者氏名）、性別、生年月日、撮影枚数（撮影予定枚数）、読影医等）や会計情報等の病院内の管理情報の全般を扱う。さらに、ＲＩＳ２００は、例えば、病院内の各診療科から画像の撮影依頼を受け、放射線科に、どの患者のどの部位をどのような撮影機材で撮影するのかを明確にして撮影依頼を出すなどの画像撮影に関する情報（放射線画像撮影依頼情報）の管理も行う。
【００１９】
ＰＡＣＳ３００は、各種モダリティから医療画像（放射線画像）を収集して管理する。例えば、ＰＡＣＳ３００は、Ｘ線撮影装置１００で撮影されたＸ線画像データを保管し、例えば過去画像の視認依頼があれば、該当する過去のＸ線画像データを検索して配信するなどのＸ線画像データの保管管理等を行う。
【００２０】
ネットワーク４００は、例えば、病院内に配設されたネットワークであり、Ｘ線撮影装置１００、ＲＩＳ２００及びＰＡＣＳ３００を相互に通信可能に接続するものである。
【００２１】
このように構成されたＸ線撮影システム１０において、Ｘ線撮影装置１００は、ＲＩＳ２００から放射線画像撮影依頼情報を受信すると、受信した放射線画像撮影依頼情報を内部に記憶するとともに、当該放射線画像撮影依頼情報に基づく撮影を行う。そして、撮影が終了すると、Ｘ線撮影装置１００は、撮影により取得したＸ線画像データをＰＡＣＳ３００へ送信する処理を行う。
【００２２】
次に、Ｘ線撮影装置１００の概略構成について説明する。
図２は、本発明の第１の実施形態に係るＸ線撮影装置（放射線撮影装置）の概略構成の一例を示す模式図である。また、図２には、Ｘ線撮影装置１００に接続された、図１のネットワーク４００も図示している。
【００２３】
Ｘ線撮影装置１００は、図２に示すように、Ｘ線撮影装置本体１０１、Ｘ線検知部１０２、ディスプレイ１０３、Ｘ線発生部１０４、Ｘ線撮影台１０５、操作入力部１０６を有して構成されている。
【００２４】
Ｘ線撮影装置本体（放射線撮影装置本体）１０１は、Ｘ線撮影装置１００における動作を統括的に制御するものである。具体的に、Ｘ線撮影装置本体１０１は、操作入力部１０６やネットワーク４００を介して入力された情報等に基づき、必要に応じて、Ｘ線検知部１０２、ディスプレイ１０３及びＸ線発生部１０４を制御する。
【００２５】
Ｘ線検知部（放射線検知部）１０２は、Ｘ線発生部１０４から照射され、患者（不図示）を透過してきたＸ線を当該Ｘ線の強度に応じたアナログ信号のＸ線画像信号として検知する。そして、Ｘ線検知部１０２は、アナログ信号のＸ線画像信号をＡ／Ｄ変換によってデジタル信号にし、これをＸ線画像データとして出力する。このＸ線検知部１０２は、例えば、フラットパネルディテクタで構成されている。
【００２６】
ディスプレイ１０３は、Ｘ線撮影装置本体１０１の制御に基づいて、撮影されたＸ線画像データに基づくＸ線画像を画面表示したり、各種の情報を画面表示したりする。
Ｘ線発生部（放射線発生部）１０４は、Ｘ線管球を備えて構成されており、Ｘ線撮影装置本体１０１の制御に基づいて、Ｘ線管球からＸ線を照射する。
【００２７】
Ｘ線撮影台（放射線撮影台）１０５は、Ｘ線検知部１０２を支持する撮影台である。
操作入力部１０６は、マウスやキーボードを備えて構成されており、操作者からの入力情報をＸ線撮影装置本体１０１に入力するための入力装置である。
【００２８】
ここで、Ｘ線撮影は、Ｘ線発生部１０４とＸ線検知部１０２との間に患者を配置し、Ｘ線発生部１０４から当該患者にＸ線を照射して、Ｘ線検知部１０２において、当該患者を透過してきたＸ線を検知することで行われる。
【００２９】
次に、図２に示すＸ線撮影装置本体１０１の内部構成について説明する。
図３は、本発明の第１の実施形態を示し、図２に示すＸ線撮影装置本体１０１の内部構成の一例を示す模式図である。ここで、図３に示すＸ線撮影装置本体を「Ｘ線撮影装置本体１０１−１」として以下の説明を行う。また、図３には、Ｘ線撮影装置本体１０１−１以外に、当該Ｘ線撮影装置本体１０１−１に接続された、図２に示す各構成についても図示している。
【００３０】
Ｘ線撮影装置本体１０１−１は、Ｘ線発生部制御部３０１、ネットワーク認識部３０２、ディスプレイ制御部３０３、入力検知部３０４、Ｘ線検知部制御部３０５、ＣＰＵ３０６を有して構成されている。さらに、Ｘ線撮影装置本体１０１−１は、患者情報記憶部３０７、選択中患者情報記憶部３０８、再取得患者情報記憶部３０９、仮患者情報判定部３１０、患者情報比較部３１１を有して構成されている。
【００３１】
Ｘ線発生部制御部３０１は、ＣＰＵ３０６の制御に基づいて、Ｘ線発生部１０４の制御を行う。ネットワーク認識部３０２は、ＣＰＵ３０６の制御に基づいて、ネットワーク４００に関する認識処理を行う。ディスプレイ制御部３０３は、ＣＰＵ３０６の制御に基づいて、ディスプレイ１０３の表示を制御する。入力検知部３０４は、操作入力部１０６からの入力を検知して、ＣＰＵ３０６にその検知情報を入力する。Ｘ線検知部制御部３０５は、ＣＰＵ３０６の制御に基づいて、Ｘ線検知部１０２の制御を行う。
【００３２】
ＣＰＵ３０６は、Ｘ線撮影装置本体１０１−１における動作を統括的に制御する。
例えば、ＣＰＵ３０６は、ネットワーク認識部３０２及びネットワーク４００を介してＲＩＳ２００及びＰＡＣＳ３００と情報の送受信を行う。また、ＣＰＵ３０６は、ディスプレイ制御部３０３を介してディスプレイ１０３への画面表示を行う。また、ＣＰＵ３０６は、操作入力部１０６に入力された入力情報を、入力検知部３０４を介して受け付ける。また、ＣＰＵ３０６は、操作入力部１０６から入力された入力情報等に基づいて、Ｘ線発生部制御部３０１を介してＸ線発生部１０４からＸ線の照射を行う。また、Ｘ線撮影が行われると、ＣＰＵ３０６は、Ｘ線検知部制御部３０５を介してＸ線検知部１０２から撮影されたＸ線画像データを取得する。さらに、ＣＰＵ３０６は、必要に応じて、各記憶部（３０７〜３０９）における情報の記憶処理や削除処理、仮患者情報判定部３１０及び患者情報比較部３１１における処理の制御を行う。
【００３３】
患者情報記憶部３０７は、ＣＰＵ３０６がＲＩＳ２００から取得した患者情報を記憶するものである。選択中患者情報記憶部３０８は、検査対象として選択された検査対象患者の患者情報を記憶するものである。なお、ＣＰＵ３０６は、検査対象の患者の撮影により取得したＸ線画像データを選択中患者情報記憶部３０８の患者情報に付加して記憶する。再取得患者情報記憶部３０９は、ＣＰＵ３０６がＲＩＳ２００から再取得した患者情報を記憶するものである。仮患者情報判定部３１０は、選択中患者情報記憶部３０８に記憶している患者情報が仮の患者情報であるか否かを判定するものである。患者情報比較部３１１は、患者情報記憶部３０７に記憶した患者情報と再取得患者情報記憶部３０９に記憶した患者情報とを比較し、その差異があるか否かを判定するものである。
【００３４】
図４は、本発明の第１の実施形態を示し、図３のディスプレイ１０３に表示される患者情報入力画面４０１の一例を示す模式図である。この患者情報入力画面４０１は、Ｘ線撮影装置１００が起動された場合に、ＣＰＵ３０６がディスプレイ１０３に表示する。
この患者情報入力画面４０１には、図４に示すように、患者情報表示領域４１０、マニュアルボタン４２０、患者リスト表示領域４３０、検索ボタン４４０、及び、検査開始ボタン４５０が設けられている。ここで、マニュアルボタン４２０、検索ボタン４４０及び検査開始ボタン４５０は、操作入力部１０６により選択可能に構成されている。
【００３５】
図４に示す患者情報入力画面４０１において、ＣＰＵ３０６は、患者リスト表示領域４３０に、患者情報記憶部３０７に記憶している全ての患者情報を表示する処理を行う。そして、ＣＰＵ３０６は、入力検知部３０４を介して患者リスト表示領域４３０の患者情報の選択を検知すると、当該選択された患者情報を選択状態で表示するとともに、当該選択された患者情報以外の患者情報を非選択状態で表示する処理を行う。
【００３６】
そして、ＣＰＵ３０６は、入力検知部３０４を介してマニュアルボタン４２０への操作入力を検知すると、ディスプレイ１０３にマニュアルによる患者情報入力画面（不図示）を表示する処理を行う。そして、操作者が患者情報入力画面（不図示）に従って患者情報の入力を行ってその入力が終了すると、ＣＰＵ３０６は、ディスプレイ１０３に図４に示す患者情報入力画面４０１を再度表示する。この際、ＣＰＵ３０６は、操作者が入力した患者情報を患者情報表示領域４１０に表示するとともに、患者リスト表示領域４３０に表示している全ての患者情報を非選択状態で表示する処理を行う。
【００３７】
そして、ＣＰＵ３０６は、入力検知部３０４を介して検索ボタン４４０への操作入力を検知すると、ネットワーク認識部３０２及びネットワーク４００を介してＲＩＳ２００と通信を開始し、ＲＩＳ２００に記憶されている全ての患者情報を取得する処理を行う。即ち、ＣＰＵ３０６は、検査対象患者の検査を行う前に、ＲＩＳ２００（外部装置）に記憶されている患者情報を取得する処理を行う。この取得処理を行うＣＰＵ３０６は、患者情報取得手段を構成する。
【００３８】
続いて、ＣＰＵ３０６は、ＲＩＳ２００から取得した患者情報を患者情報記憶部３０７に記憶する処理を行う。さらに、ＣＰＵ３０６は、患者リスト表示領域４３０に、患者情報記憶部３０７に記憶した全ての患者情報を表示する処理を行う。この表示処理を行うＣＰＵ３０６は、患者情報表示処理手段を構成する。
【００３９】
また、ＣＰＵ３０６は、入力検知部３０４を介して検査開始ボタン４５０への操作入力を検知すると、ディスプレイ１０３に、図５に示す画面を表示する処理を行う。
図５は、本発明の第１の実施形態を示し、図３のディスプレイ１０３に表示される検査画面５００の一例を示す模式図である。
この検査画面５００には、図５に示すように、患者情報表示領域４１０、検査情報表示領域５１０、撮影画像表示領域５２０、撮影リスト５３０、及び、検査終了ボタン５４０が設けられている。また、図５に示す撮影リスト５３０には、撮影部位ボタンである右肘ボタン５３１、右肩ボタン５３２及び右手ボタン５３３と、新規撮影ボタン５３４が図示されている。
【００４０】
ＣＰＵ３０６は、入力検知部３０４による検知結果に基づいて、検査画面５００の患者情報表示領域４１０に検査対象患者の患者情報が表示されているか否かの判断を行う。
この判断の結果、検査対象患者の患者情報が表示されている（存在する）場合、ＣＰＵ３０６は、当該患者情報を選択中患者情報記憶部３０８に記憶するとともに、患者情報記憶部３０７から当該患者情報を削除する処理を行う。
一方、検査対象患者の患者情報が表示されていない（存在しない）場合、ＣＰＵ３０６は、仮の患者情報を作成するとともに、当該仮の患者情報を選択中患者情報記憶部３０８に記憶する処理を行う。この仮の患者情報の作成処理を行うＣＰＵ３０６は、仮患者情報作成手段を構成する。
【００４１】
ここで、図５の検査画面５００について詳しく説明する。
ＣＰＵ３０６は、ディスプレイ１０３に検査画面５００を表示する際、選択中患者情報記憶部３０８に記憶した患者情報に基づいて、撮影リスト５３０に、撮影部位ボタン（５３１、５３２、５３３）、及び、新規撮影ボタン５３４を表示する。ここで、撮影部位ボタン及び新規撮影ボタン５３４は、操作入力部１０６により選択可能に構成されている。また、ディスプレイ１０３に検査画面５００を表示する際、ＣＰＵ３０６は、選択中患者情報記憶部３０８に記憶した患者情報を患者情報表示領域４１０に表示する。
【００４２】
また、ＣＰＵ３０６は、入力検知部３０４を介して撮影部位ボタン（５３１〜５３３）への操作入力を検知すると、当該検知した撮影部位ボタンを選択状態で表示するとともに、当該検知した撮影部位ボタン以外の撮影部位ボタンを非選択状態で表示する処理を行う。
【００４３】
続いて、ＣＰＵ３０６は、選択中患者情報記憶部３０８に記憶した患者情報に含まれる情報のうち、前記検知した撮影部位ボタンに紐づく検査情報を検査情報表示領域５１０に表示するとともにその撮影画像５２１を撮影画像表示領域５２０に表示する処理を行う。ここで、選択中患者情報記憶部３０８に記憶される患者情報には、当該患者について設定された撮影部位情報等の検査情報、及び、その撮影が行われた場合には撮影画像データが付加されて含まれるものとする。
【００４４】
また、ＣＰＵ３０６は、入力検知部３０４を介して新規撮影ボタン５３４への操作入力を検知すると、ディスプレイ１０３に新規撮影部位作成画面（不図示）を表示する処理を行う。そして、操作者が新規撮影部位作成画面（不図示）に従って新規撮影部位情報の入力を行ってその入力を終了すると、ＣＰＵ３０６は、選択中患者情報記憶部３０８に記憶されている患者情報に、新規に作成された撮影部位情報を付加して記憶する。そして、ＣＰＵ３０６は、新規撮影部位作成画面（不図示）に替えて、ディスプレイ１０３に図５に示す検査画面５００を再度表示するとともに、撮影リスト５３０に、新規に作成された撮影部位情報に基づく撮影部位ボタンを追加表示する処理を行う。
【００４５】
また、操作入力された撮影部位ボタンに基づく撮影が行われると、ＣＰＵ３０６は、Ｘ線検知部制御部３０５を介してＸ線検知部１０２で生成されたＸ線画像データを取得する。そして、ＣＰＵ３０６は、取得したＸ線画像データを、操作入力された撮影部位ボタンに紐づく撮影画像データとして、選択中患者情報記憶部３０８に記憶されている患者情報に付加して記憶する。
【００４６】
そして、ＣＰＵ３０６は、入力検知部３０４を介して検査終了ボタン５４０への操作入力を検知すると、仮患者情報判定部３１０に、選択中患者情報記憶部３０８に記憶している患者情報が仮の患者情報であるか否かを判定させる。
【００４７】
そして、ＣＰＵ３０６は、仮患者情報判定部３１０により選択中患者情報記憶部３０８の患者情報が仮の患者情報であると判定された場合、ネットワーク認識部３０２及びネットワーク４００を介してＲＩＳ２００に記憶されている全ての患者情報を取得する。即ち、ＣＰＵ３０６は、仮の患者情報を用いて検査対象患者の撮影による検査を行った場合、当該検査の終了時に、ＲＩＳ２００に記憶されている患者情報を再取得する処理を行う。この再取得処理を行うＣＰＵ３０６は、患者情報再取得手段を構成する。続いて、ＣＰＵ３０６は、ＲＩＳ２００から再取得した患者情報を再取得患者情報記憶部３０９に記憶する。
【００４８】
そして、ＣＰＵ３０６は、患者情報比較部３１１に、患者情報記憶部３０７に記憶した患者情報と再取得患者情報記憶部３０９に記憶した患者情報とを比較させ、その差異があるか否かを判定させる。
【００４９】
そして、ＣＰＵ３０６は、患者情報比較部３１１により患者情報記憶部３０７の患者情報と再取得患者情報記憶部３０９の患者情報との差異があると判定された場合、ディスプレイ１０３に図６に示す検査患者情報入力画面６００を表示する処理を行う。
【００５０】
図６は、本発明の第１の実施形態を示し、図３のディスプレイ１０３に表示される検査患者情報入力画面６００の一例を示す模式図である。
この検査患者情報入力画面６００には、図６に示すように、患者情報表示領域４１０、マニュアルボタン４２０、患者リスト表示領域４３０、検索ボタン４４０、及び、検査終了ボタン６１０が設けられている。ここで、マニュアルボタン４２０、検索ボタン４４０及び検査終了ボタン６１０は、操作入力部１０６により選択可能に構成されている。また、図６には、図４に示す患者リスト表示領域４３０に表示された患者情報に対して患者Ｃの患者情報が追加されている場合（即ち、上述した差異として患者Ｃの患者情報が追加されている場合）を示している。
【００５１】
図６の検査患者情報入力画面６００において、ＣＰＵ３０６は、患者情報表示領域４１０に、選択中患者情報記憶部３０８の患者情報（仮の患者情報）を表示し、患者リスト表示領域４３０に、再取得患者情報記憶部３０９の全ての患者情報を表示する。このように、ＣＰＵ３０６は、患者情報比較部３１１により差異があると判定された場合に、再取得患者情報記憶部３０９に記憶した患者情報と仮の患者情報とを関連付けてディスプレイ１０３に表示する処理を行う。この表示処理を行うＣＰＵ３０６は、関連付け表示処理手段を構成する。
【００５２】
その後、ＣＰＵ３０６は、入力検知部３０４を介して検査終了ボタン６１０への操作入力を検知すると、再取得患者情報記憶部３０９に記憶した患者情報を患者情報記憶部３０７に記憶する処理を行う。続いて、ＣＰＵ３０６は、ネットワーク認識部３０２及びネットワーク４００を介して、選択中患者情報記憶部３０８に記憶した患者情報をＰＡＣＳ３００（他の外部装置）に送信する処理を行う。そして、ＣＰＵ３０６は、選択中患者情報記憶部３０８に記憶した患者情報を選択中患者情報記憶部３０８から削除し、その後、ディスプレイ１０３に患者情報入力画面４０１を表示する処理を行う。
【００５３】
一方、ＣＰＵ３０６は、患者情報比較部３１１により患者情報の差異がないと判定された場合、ネットワーク認識部３０２及びネットワーク４００を介して、選択中患者情報記憶部３０８に記憶した患者情報をＰＡＣＳ３００に送信する処理を行う。
また、ＣＰＵ３０６は、仮患者情報判定部３１０により選択中患者情報記憶部３０８の患者情報が仮の患者情報でないと判定された場合、選択中患者情報記憶部３０８に記憶した患者情報をＰＡＣＳ３００に送信する処理を行う。
そして、ＣＰＵ３０６は、選択中患者情報記憶部３０８に記憶した患者情報をＰＡＣＳ３００に送信した場合、当該患者情報を選択中患者情報記憶部３０８から削除し、その後、ディスプレイ１０３に患者情報入力画面４０１を表示する処理を行う。
【００５４】
図７は、本発明の第１の実施形態を示し、図３に示すＸ線撮影装置本体１０１−１による制御方法の処理手順の一例を示すフローチャートである。ここで、図７に示すフローチャートは、ＣＰＵ３０６が、入力検知部３０４を介して図５の検査終了ボタン５４０への操作入力を検知した場合に開始される。
【００５５】
図７の処理が開始されると、まず、ステップＳ１０１において、仮患者情報判定部３１０は、ＣＰＵ３０６の制御に基づいて、選択中患者情報記憶部３０８に記憶している患者情報が仮の患者情報であるか否かを判断する。
【００５６】
そして、ステップＳ１０１の判断の結果、選択中患者情報記憶部３０８に記憶している患者情報が仮の患者情報である場合には、ステップＳ１０２に進む。
ステップＳ１０２に進むと、まず、ＣＰＵ３０６は、ネットワーク認識部３０２及びネットワーク４００を介してＲＩＳ２００に記憶されている全ての患者情報を取得し、取得した患者情報を再取得患者情報記憶部３０９に記憶する。そして、患者情報比較部３１１は、ＣＰＵ３０６の制御に基づいて、患者情報記憶部３０７に記憶した患者情報と再取得患者情報記憶部３０９に記憶した患者情報とを比較して、その差異がある（追加された患者情報がある）か否かを判断する。
【００５７】
そして、ステップＳ１０２の判断の結果、患者情報記憶部３０７に記憶した患者情報と再取得患者情報記憶部３０９に記憶した患者情報との差異がある場合には、ステップＳ１０３に進む。
ステップＳ１０３に進むと、ＣＰＵ３０６は、ディスプレイ１０３に図６に示す検査患者情報入力画面６００を表示する処理を行う。この際、ＣＰＵ３０６は、図６の患者情報表示領域４１０に、選択中患者情報記憶部３０８に記憶した仮の患者情報を表示し、患者リスト表示領域４３０に、再取得患者情報記憶部３０９に記憶した全ての患者情報を表示する。また、図６に示す例では、図４に示す患者リスト表示領域４３０に表示された患者情報に対して患者Ｃの患者情報が追加されている場合（即ち、上述した差異として患者Ｃの患者情報が追加されている場合）を示している。この場合、ＣＰＵ３０６は、例えば、当該患者の検査時に新たな患者情報が追加された旨を操作者に報知するために当該追加された患者情報（患者Ｃの患者情報）を他の患者情報と識別可能に表示するようにしてもよい。そして、例えば、図６に示す患者リスト表示領域４３０の患者情報の中に検査対象患者の患者情報が存在するとして操作者が操作入力部１０６を介して当該患者情報を選択した場合、ＣＰＵ３０６は、当該選択された患者情報を仮患者情報に反映する処理を行う。この場合、例えば、ＣＰＵ３０６は、当該選択された患者情報を図６の患者情報表示領域４１０に反映し、再取得患者情報記憶部３０９に記憶されている当該選択された患者情報を選択中患者情報記憶部３０８に記憶されている仮の患者情報に反映する処理を行う。この反映処理を行うＣＰＵ３０６は、反映処理手段を構成する。
【００５８】
その後、ＣＰＵ３０６は、入力検知部３０４を介して検査終了ボタン６１０への操作入力を検知すると、再取得患者情報記憶部３０９に記憶した患者情報を患者情報記憶部３０７に記憶する処理を行う。このようにして、ステップＳ１０５では、検査患者情報入力処理を行う。
【００５９】
ステップＳ１０３の処理が終了した場合、或いは、ステップＳ１０２で患者情報の差異がないと判断された場合、或いは、ステップＳ１０１で仮の患者情報でないと判断された場合には、ステップＳ１０４に進む。
ステップＳ１０４に進むと、ＣＰＵ３０６は、ネットワーク認識部３０２及びネットワーク４００を介して、選択中患者情報記憶部３０８に記憶した患者情報（撮影画像データ等の付加情報も含む）をＰＡＣＳ３００へ送信する処理を行う。続いて、ＣＰＵ３０６は、選択中患者情報記憶部３０８に記憶した患者情報を削除し、その後、図４に示す患者情報入力画面４０１を表示する処理を行う。このようにして、ステップＳ１０４では、検査終了処理を行う。
【００６０】
そして、ステップＳ１０４の処理が終了すると、図７のフローチャートにおける処理を終了する。
【００６１】
以上説明したように、第１の実施形態に係るＸ線撮影装置１００（ＣＰＵ３０６）では、仮の患者情報で検査を行って終了した場合、ＲＩＳ２００から患者情報を再度取得する処理を行うようにしている。そして、Ｘ線撮影装置１００（ＣＰＵ３０６）では、仮の患者情報で検査を行っている間にＲＩＳ２００に追加された患者情報が存在する場合にのみ、仮の患者情報とＲＩＳ２００に追加された患者情報とを関連付けるための画面（図６）を表示するようにしている。
かかる構成によれば、操作者による仮の患者情報で検査を行っている間に、ＲＩＳ２００に患者情報が追加されなかった場合、操作者は、ＲＩＳ２００に対して追加された患者情報が存在するか否かの確認を行う時間を省くことができる。これにより、操作者は、次の検査を開始するまでの時間を短縮することができ、従来よりも、１日当たりに検査できる患者数を増加させることができるといった作用・効果を奏する。
【００６２】
（第２の実施形態）
次に、本発明の第２の実施形態について説明する。
【００６３】
第２の実施形態に係るＸ線撮影システムの概略構成は、図１に示す第１の実施形態に係るＸ線撮影システム１０の概略構成と同様の構成を採る。また、第２の実施形態に係るＸ線撮影装置の概略構成は、図２に示す第１の実施形態に係るＸ線撮影装置１００の概略構成と同様の構成を採る。
【００６４】
図８は、本発明の第２の実施形態を示し、図２に示すＸ線撮影装置本体１０１の内部構成の一例を示す模式図である。ここで、図８に示すＸ線撮影装置本体を「Ｘ線撮影装置本体１０１−２」として以下の説明を行う。また、図８では、図３に示す構成と同様の構成については同じ符号を付し、その説明は省略する。
【００６５】
第２の実施形態におけるＸ線撮影装置本体１０１−２は、図８に示すように、図３に示すＸ線撮影装置本体１０１−１の内部構成に加えて、保留患者情報記憶部８０１を追加したものである。この保留患者情報記憶部８０１は、保留と指定された患者情報を記憶するものである。ＣＰＵ３０６は、仮患者情報判定部３１０により仮の患者情報であると判定された場合に、操作者からの操作入力に基づいて、当該仮の患者情報を保留患者情報記憶部８０１に記憶して保留する処理を行う。この保留処理を行うＣＰＵ３０６は、仮患者情報保留手段を構成する。
【００６６】
図９は、本発明の第２の実施形態を示し、図８のディスプレイ１０３に表示される患者情報入力画面９００の一例を示す模式図である。この患者情報入力画面９００は、図４に示す患者情報入力画面４０１に、保留情報ボタン９１０を追加したものである。ここで、マニュアルボタン４２０、検索ボタン４４０、検査開始ボタン４５０及び保留情報ボタン９１０は、操作入力部１０６により選択可能に構成されている。また、この患者情報入力画面９００は、Ｘ線撮影装置１００が起動された場合に、ＣＰＵ３０６がディスプレイ１０３に表示するものである。
【００６７】
ＣＰＵ３０６は、入力検知部３０４を介して保留情報ボタン９１０への操作入力を検知すると、ディスプレイ１０３に、図１０に示す画面を表示する処理を行う。
図１０は、本発明の第２の実施形態を示し、図８のディスプレイ１０３に表示される保留患者選択画面１０００の一例を示す模式図である。
この保留患者選択画面１０００には、図１０に示すように、患者情報表示領域４１０、マニュアルボタン４２０、患者リスト表示領域４３０、検索ボタン４４０、患者情報ボタン１０１０、及び、検査開始ボタン１０２０が設けられている。ここで、マニュアルボタン４２０、検索ボタン４４０、患者情報ボタン１０１０及び検査開始ボタン１０２０は、操作入力部１０６により選択可能に構成されている。
【００６８】
ＣＰＵ３０６は、ディスプレイ１０３に保留患者選択画面１０００を表示する際、患者リスト表示領域４３０に保留患者情報記憶部８０１に記憶した全ての患者情報を表示し、患者情報表示領域４１０に選択中患者情報記憶部３０８に記憶した患者情報を表示する。また、ＣＰＵ３０６は、患者リスト表示領域４３０で選択状態となっている患者情報を保留患者情報記憶部８０１から削除する。
【００６９】
また、ＣＰＵ３０６は、入力検知部３０４を介して図１０の患者情報ボタン１０１０への操作入力を検知すると、ディスプレイ１０３に、図９に示す患者情報入力画面９００を表示する処理を行う。また、ＣＰＵ３０６は、入力検知部３０４を介して図１０の検査開始ボタン１０２０への操作入力を検知すると、ディスプレイ１０３に、図５に示す検査画面５００を表示する処理を行う。そして、検査終了ボタン５４０への操作入力を検知すると、ＣＰＵ３０６は、患者情報比較部３１１に患者情報の差異判定を行わせ、差異がないと判定された場合に、ディスプレイ１０３に、図１１に示す画面を表示する処理を行う。
【００７０】
図１１は、本発明の第２の実施形態を示し、図８のディスプレイ１０３に表示される検査終了処理選択画面１１００の一例を示す模式図である。
この検査終了処理選択画面１１００には、図１１に示すように、患者情報表示領域４１０、「患者情報を入力するまで待機」ボタン１１１０、及び、「患者情報を入力せずに終了」ボタン１１２０が設けられている。ここで、患者情報表示領域４１０、「患者情報を入力するまで待機」ボタン１１１０及び「患者情報を入力せずに終了」ボタン１１２０は、操作入力部１０６により選択可能に構成されている。
【００７１】
ＣＰＵ３０６は、入力検知部３０４を介して「患者情報を入力するまで待機」ボタン１１１０への操作入力を検知すると、選択中患者情報記憶部３０８に記憶した患者情報を保留患者情報記憶部８０１に記憶する処理を行う。その後、ＣＰＵ３０６は、選択中患者情報記憶部３０８に記憶した患者情報を削除する処理を行い、ディスプレイ１０３に患者情報入力画面９００を表示する処理を行う。
【００７２】
また、ＣＰＵ３０６は、入力検知部３０４を介して「患者情報を入力せずに終了」ボタン１１２０への操作入力を検知すると、選択中患者情報記憶部３０８に記憶した患者情報をＰＡＣＳ３００へ送信する処理を行う。続いて、ＣＰＵ３０６は、選択中患者情報記憶部３０８に記憶した患者情報を削除し、その後、図９に示す患者情報入力画面９００を表示する処理を行う。
【００７３】
このように、図１１に示すボタン１１１０及びボタン１１２０は、ＣＰＵ３０６による患者情報の送信処理と仮患者情報の保留処理のうち、１つを選択可能とする選択手段（検査終了時処理選択手段）を構成するものである。
【００７４】
図１２は、本発明の第２の実施形態を示し、図８に示すＸ線撮影装置本体１０１−２による制御方法の処理手順の一例を示すフローチャートである。ここで、図１２において、図７に示す処理と同様の処理については同じステップ番号を付しており、その詳細な説明は省略する。
【００７５】
図１２の処理が開始されると、まず、図７のステップＳ１０１と同様に、仮患者情報判定部３１０は、ＣＰＵ３０６の制御に基づいて、選択中患者情報記憶部３０８に記憶している患者情報が仮の患者情報であるか否かを判断する。
【００７６】
そして、ステップＳ１０１の判断の結果、選択中患者情報記憶部３０８に記憶している患者情報が仮の患者情報である場合には、ステップＳ２０１に進む。
ステップＳ２０１に進むと、図７のステップＳ１０２と同様に、まず、ＣＰＵ３０６は、ＲＩＳ２００に記憶されている全ての患者情報を取得し、取得した患者情報を再取得患者情報記憶部３０９に記憶する。そして、図７のステップＳ１０２と同様に、患者情報比較部３１１は、患者情報記憶部３０７に記憶した患者情報と再取得患者情報記憶部３０９に記憶した患者情報とを比較して、その差異がある（追加された患者情報がある）か否かを判断する。
【００７７】
ステップＳ２０１の判断の結果、患者情報記憶部３０７に記憶した患者情報と再取得患者情報記憶部３０９に記憶した患者情報との差異がある場合には、ステップＳ１０３に進み、図７のステップＳ１０３と同様の処理を行う。
【００７８】
一方、ステップＳ２０１の判断の結果、患者情報記憶部３０７に記憶した患者情報と再取得患者情報記憶部３０９に記憶した患者情報との差異がない場合には、ステップＳ２０２に進む。
【００７９】
ステップＳ２０２に進むと、ＣＰＵ３０６は、まず、ディスプレイ１０３に、図１１に示す検査終了処理選択画面１１００を表示する処理を行う。そして、ＣＰＵ３０６は、入力検知部３０４を介して、「患者情報を入力するまで待機」ボタン１１１０への操作入力を検知したか否かを判断する。
【００８０】
ステップＳ２０２の判断の結果、「患者情報を入力するまで待機」ボタン１１１０への操作入力を検知した場合には、ステップＳ２０３に進む。
ステップＳ２０３に進むと、ＣＰＵ３０６は、選択中患者情報記憶部３０８に記憶した患者情報を保留患者情報記憶部８０１に記憶する処理を行う。その後、ＣＰＵ３０６は、選択中患者情報記憶部３０８に記憶した患者情報を削除する処理を行い、ディスプレイ１０３に患者情報入力画面９００を表示する処理を行う。このようにして、ステップＳ２０３では、検査情報保留処理を行う。その後、図１２のフローチャートの処理を終了する。
【００８１】
一方、ステップＳ２０２の判断の結果、「患者情報を入力するまで待機」ボタン１１１０への操作入力を検知しなかった場合（「患者情報を入力せずに終了」ボタン１１２０への操作入力を検知した場合）には、ステップＳ１０４に進む。
また、ステップＳ１０１の判断の結果、選択中患者情報記憶部３０８に記憶している患者情報が仮の患者情報でない場合にも、ステップＳ１０４に進む。
このステップＳ１０４では、図７のステップＳ１０４と同様の処理を行って、図１２のフローチャートの処理を終了する。
【００８２】
以上説明したように、第２の実施形態に係るＸ線撮影装置１００（ＣＰＵ３０６）では、仮の患者情報で検査を行って終了し、検査終了時にＲＩＳ２００において患者情報の追加がされていない場合、患者情報の終了処理を行わずに保留することができる。この際、仮の患者情報のままでＰＡＣＳ３００に患者情報を送信することもできる。
かかる構成によれば、ＲＩＳ２００において患者情報が追加されるまで、検査を行った仮の患者情報を保留することができる。これにより、操作者は、第１の実施形態で得られる効果に加えて、ＲＩＳ２００において患者情報が追加されるまで待機する時間を省くことができ、従来よりも、１日当たりに検査できる患者数を更に増加させることができるといった作用・効果を奏する。
【００８３】
（第３の実施形態）
次に、本発明の第３の実施形態について説明する。
【００８４】
第３の実施形態に係るＸ線撮影システムの概略構成は、図１に示す第１の実施形態に係るＸ線撮影システム１０の概略構成と同様の構成を採る。また、第３の実施形態に係るＸ線撮影装置の概略構成は、図２及び図３に示す第１の実施形態に係るＸ線撮影装置１００の概略構成と同様の構成を採る。
【００８５】
図１３は、本発明の第３の実施形態を示し、図３のディスプレイ１０３に表示される検査患者情報入力画面１３００の一例を示す模式図である。ここで、図１３において、図６に示す構成と同様の構成については同じ符号を付している。
この検査患者情報入力画面１３００には、患者情報表示領域４１０、マニュアルボタン４２０、患者リスト表示領域４３０、検索ボタン４４０、検査終了ボタン６１０、患者情報比較結果表示領域１３１０及び全体表示ボタン１３２０が設けられている。ここで、マニュアルボタン４２０、検索ボタン４４０、検査終了ボタン６１０及び全体表示ボタン１３２０は、操作入力部１０６により選択可能に構成されている。
【００８６】
ＣＰＵ３０６は、ディスプレイ１０３に検査患者情報入力画面１３００を表示する際、患者リスト表示領域４３０に、再取得患者情報記憶部３０９に記憶した患者情報のうち、患者情報記憶部３０７に記憶されていない患者情報のみを表示する処理を行う。即ち、検査患者情報入力画面１３００の患者リスト表示領域４３０には、検査対象患者の検査時に、新たに追加された患者情報のみが表示される。したがって、再取得患者情報記憶部３０９に記憶した患者情報のうち、患者情報記憶部３０７に記憶した患者情報と一致する患者情報は、患者リスト表示領域４３０に非表示となる。
【００８７】
また、本実施形態の患者情報比較部３１１では、再取得患者情報記憶部３０９に記憶した患者情報の件数と患者情報記憶部３０７に記憶した患者情報の件数とに差異があるか否かを更に比較する処理を行う。そして、ＣＰＵ３０６は、患者情報比較部３１１による当該件数の比較結果（本例では具体的に追加された患者情報の件数）を、患者情報比較結果表示領域１３１０に表示する。
【００８８】
そして、ＣＰＵ３０６は、入力検知部３０４を介して全体表示ボタン１３２０への操作入力を検知すると、ディスプレイ１０３に、図１４に示す画面を表示する処理を行う。
【００８９】
図１４は、本発明の第３の実施形態を示し、図３のディスプレイ１０３に表示される検査患者情報入力画面１４００の一例を示す模式図である。ここで、図１４において、図１３に示す構成と同様の構成については同じ符号を付している。
この検査患者情報入力画面１４００には、患者情報表示領域４１０、マニュアルボタン４２０、患者リスト表示領域４３０、検索ボタン４４０、検査終了ボタン６１０、患者情報比較結果表示領域１３１０及び追加件表示ボタン１４１０が設けられている。ここで、マニュアルボタン４２０、検索ボタン４４０、検査終了ボタン６１０及び追加件表示ボタン１４１０は、操作入力部１０６により選択可能に構成されている。
【００９０】
ＣＰＵ３０６は、ディスプレイ１０３に検査患者情報入力画面１４００を表示する際、患者リスト表示領域４３０に、再取得患者情報記憶部３０９に記憶した全ての患者情報を表示する。
【００９１】
そして、ＣＰＵ３０６は、入力検知部３０４を介して追加件表示ボタン１４１０への操作入力を検知すると、ディスプレイ１０３に、図１３に示す画面を表示する処理を行う。
【００９２】
図１５は、本発明の第３の実施形態を示し、図３に示すＸ線撮影装置本体１０１−１による制御方法の処理手順の一例を示すフローチャートである。ここで、図１５において、図７に示す処理と同様の処理については同じステップ番号を付しており、その詳細な説明は省略する。
【００９３】
図１５の処理が開始されると、まず、図７のステップＳ１０１と同様に、仮患者情報判定部３１０は、ＣＰＵ３０６の制御に基づいて、選択中患者情報記憶部３０８に記憶している患者情報が仮の患者情報であるか否かを判断する。この判断の結果、選択中患者情報記憶部３０８に記憶している患者情報が仮の患者情報でない場合には、図７と同様に、ステップＳ１０４に進む。
【００９４】
一方、ステップＳ１０１の判断の結果、選択中患者情報記憶部３０８に記憶している患者情報が仮の患者情報である場合には、ステップＳ１０２に進む。
ステップＳ１０２に進むと、図７のステップＳ１０２と同様に、患者情報比較部３１１は、患者情報記憶部３０７に記憶した患者情報と再取得患者情報記憶部３０９に記憶した患者情報とに差異がある（追加された患者情報がある）か否かを判断する。この判断の結果、患者情報に差異がない場合には、図７と同様に、ステップＳ１０４に進む。
【００９５】
一方、ステップＳ１０２の判断の結果、患者情報に差異がある場合には、ステップＳ３０１に進む。
ステップＳ３０１に進むと、ＣＰＵ３０６は、まず、ディスプレイ１０３に、図１３に示す検査患者情報入力画面１３００を表示する処理を行う。そして、ＣＰＵ３０６は、入力検知部３０４を介した操作者による操作入力の検知結果に基づいて、追加件表示に係る検査患者情報入力処理を実行するか否かを判断する。ここでは、例えば、図１３の患者リスト表示領域４３０の患者情報の中に検査対象患者の患者情報が存在するとして操作者が操作入力部１０６を介して当該患者情報を選択した場合に、当該選択された患者情報を仮患者情報に反映する検査患者情報入力処理を行う。
【００９６】
一方、ステップＳ３０１の判断の結果、追加件表示に係る検査患者情報入力処理を実行しない場合（図１３の検査終了ボタン６１０の操作入力があった場合）には、ステップＳ１０４に進む。
【００９７】
また、ステップＳ３０１の処理において、ＣＰＵ３０６が、図１３に示す検査患者情報入力画面１３００の全体表示ボタン１３２０の操作入力を検知した場合には、ステップＳ３０２に進む。
ステップＳ３０２に進むと、ＣＰＵ３０６は、まず、ディスプレイ１０３に、図１４に示す検査患者情報入力画面１４００を表示する処理を行う。
そして、ＣＰＵ３０６は、入力検知部３０４を介した操作者による操作入力の検知結果に基づいて、全体表示に係る検査患者情報入力処理を実行するか否かを判断する。ここでは、例えば、図１４の患者リスト表示領域４３０の患者情報の中に検査対象患者の患者情報が存在するとして操作者が操作入力部１０６を介して当該患者情報を選択した場合に、当該選択された患者情報を仮患者情報に反映する検査患者情報入力処理を行う。
【００９８】
一方、ステップＳ３０２の判断の結果、全体表示に係る検査患者情報入力処理を実行しない場合（図１４の検査終了ボタン６１０の操作入力があった場合）には、ステップＳ１０４に進む。
【００９９】
また、ステップＳ３０２の処理において、ＣＰＵ３０６が、図１４に示す検査患者情報入力画面１４００の追加件表示ボタン１４１０の操作入力を検知した場合には、ステップＳ３０１に戻り、図１３に示す検査患者情報入力画面１３００の表示が再度行われる。
【０１００】
そして、ステップＳ１０４に進むと、図７のステップＳ１０４と同様に、検査終了処理が行われ、その後、図１５のフローチャートにおける処理が終了する。
【０１０１】
以上説明したように、第３の実施形態に係るＸ線撮影装置１００（ＣＰＵ３０６）では、仮の患者情報で検査を行って終了した場合、当該検査を行った間にＲＩＳ２００に追加された患者情報のみを患者リスト表示領域４３０（図１３）に表示するようにしている。また、第３の実施形態に係るＸ線撮影装置１００（ＣＰＵ３０６）では、当該検査を行った間にＲＩＳ２００に追加された患者情報の件数に係る情報を患者情報比較結果表示領域１３１０に表示するようにしている。
かかる構成によれば、操作者は、仮の患者情報と関連付ける対象となり得る患者情報のみを確認することができる。これにより、操作者は、第１の実施形態で得られる効果に加えて、患者情報を探す時間をより短縮することができるといった作用・効果を奏する。
【０１０２】
（本発明の他の実施形態）
前述した本発明の各実施形態に係るＸ線撮影装置１００の制御方法を示す図７、図１２及び図１５の各ステップは、コンピュータのＣＰＵ（３０６等）が記憶媒体に記憶されているプログラムを実行することによって実現できる。このプログラム及び当該プログラムを記憶したコンピュータ読み取り可能な記録媒体は本発明に含まれる。
【０１０３】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１０４】
なお、前述した本発明の各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１０５】
１０１−１：Ｘ線撮影装置本体、１０２：Ｘ線検知部、１０３：ディスプレイ、１０４：Ｘ線発生部、１０６：操作入力部、３０１：Ｘ線発生部制御部、３０２：ネットワーク認識部、３０３：ディスプレイ制御部、３０４：入力検知部、３０５：Ｘ線検知部制御部、３０６：ＣＰＵ３０６、３０７：患者情報記憶部、３０８：選択中患者情報記憶部、３０９：再取得患者情報記憶部、３１０：仮患者情報判定部、３１１：患者情報比較部、４００：ネットワーク
【図１】
0005614950.tif 000002
【図２】
0005614950.tif 000003
【図３】
0005614950.tif 000004
【図４】
0005614950.tif 000005
【図５】
0005614950.tif 000006
【図６】
0005614950.tif 000007
【図７】
0005614950.tif 000008
【図８】
0005614950.tif 000009
【図９】
0005614950.tif 000010
【図１０】
0005614950.tif 000011
【図１１】
0005614950.tif 000012
【図１２】
0005614950.tif 000013
【図１３】
0005614950.tif 000014
【図１４】
0005614950.tif 000015
【図１５】
0005614950.tif 000016